(57)【要約】【課題】ダイバーシチ効果が高いアンテナダイバーシチの構成を有するＯＦＤＭ受信装置を提供すること。【解決手段】ＯＦＤＭ受信装置は、ＡＤ変換器１３、１４、遅延器１５、ＯＦＤＭ復調回路１６、１７、及び合成＆判定器１８から成る。複数のアンテナ１１、１２で受信した信号はベースバンド信号に変換され、サンプル周期Ｔsの分数間隔分ずらして駆動されるＡＤ変換器１３、１４でサンプルされディジタル信号化される。それぞれのアンテナブランチではＯＦＤＭ信号がＯＦＤＭ復調回路１６、１７によって復調され、合成＆判定器１８によって各サブキャリアの信号ごとに最大比合成などの合成を行い判定される。【選択図】図１
2009212835.tif 000002
【特許請求の範囲】
【請求項１】
第１アンテナからの受信アナログ信号をディジタル信号に変換する第１ＡＤ変換器と、
前記第１アンテナとは異なる第２アンテナからの受信アナログ信号を前記第１ＡＤ変換器とは異なる位相でサンプルしてディジタル信号に変換する第２ＡＤ変換器と、
前記第１ＡＤ変換器からのディジタル信号をＯＦＤＭ復調する第１ＯＦＤＭ復調器と、
前記第２ＡＤ変換器からのディジタル信号をＯＦＤＭ復調する第２ＯＦＤＭ復調器と、
前記第１及び第２ＯＦＤＭ復調器によって復調された信号を合成する合成器と
を備えることを特徴とするＯＦＤＭ受信装置。
【請求項２】
前記第１及び第２ＡＤ変換器を合わせたサンプルタイミングは、等間隔であることを特徴とする請求項１記載のＯＦＤＭ受信装置。
【発明の詳細な説明】
【技術分野】
【０００１】
本発明は、ＯＦＤＭ（Orthogonal Frequency Division Multiplexing）受信装置に関し、特にダイバーシチ効果が高いアンテナダイバーシチの構成を有するＯＦＤＭ受信装置に関する。
【背景技術】
【０００２】
図４は、従来技術１のＯＦＤＭ受信装置の構成を示す図である。このＯＦＤＭ受信装置は、アンテナ２１、２２、ＡＤ変換器２３、２４、ＯＦＤＭ復調回路２５、２６、及び合成＆判定器２７から成る。複数のアンテナ２１、２２で受信した信号はベースバンド信号に変換され、同一クロックによって駆動されたＡＤ変換器２３、２４でサンプルされディジタル信号化される。それぞれのアンテナブランチではＯＦＤＭ信号がＯＦＤＭ復調回路２５、２６によって復調され、合成＆判定器２７によって各サブキャリアの信号ごとに合成され判定される。この構成は一般的なアンテナダイバーシチの構成である。
【０００３】
図５は、従来技術２のＯＦＤＭ受信装置の構成を示す図である。このＯＦＤＭ受信装置は、アンテナ３１、３２、ＡＤ変換器３３、３４、サイクリック遅延又は遅延回路３５、合成器３６、ＯＦＤＭ復調回路３７、及び判定器３８から成る。この構成では異なるアンテナ３１、３２で受信した信号をサイクリック遅延又は遅延回路３５によって時間軸上でサイクリック遅延又は遅延して合成する（例えば、非特許文献１参照）。
【０００４】
図６は、サイクリック遅延合成及び遅延合成の考え方を示す図である。遅延合成は、ガードインターバル内に収まる範囲で他の信号に適当な遅延量を与えて合成するものである。サイクリック遅延合成は、他の信号のガードインターバルＧＩを除去した後に適当なサイクリック遅延量を与えて合成するものである。サイクリック遅延合成又は遅延合成により各サブキャリアにおける応答を変化させ、誤り訂正符号とともに周波数ダイバーシチの効果を改善する。
【非特許文献１】Armin Dammann、外、“Standard conformable antenna diversity techniques for OFDM and itsapplication to the DVB-T system,” IEEE GLOBECOM '01,Nov. 2001, vol. 5, pp. 3100 - 3105.
【発明の開示】
【発明が解決しようとする課題】
【０００５】
しかし、従来技術１、２共に、サンプルタイミングはいずれのアンテナにおいても同時であるために、アンテナ間の相関が高い場合、すなわち、同じタイミングで異なるアンテナにおいて受信した信号間の相関が高い場合、にはすべてのアンテナにおける受信信号レベルが低下する場合があり、ダイバーシチの効果が限られてしまう。
【０００６】
また、従来技術２の合成方法は時間領域における等利得合成に限られてしまう。一般に等利得合成よりも各サブキャリアにおける最大比合成などの合成方法のほうがダイバーシチ効果が高いとされている。
【０００７】
本発明は、上記問題点に鑑み、ダイバーシチ効果が高いアンテナダイバーシチの構成を有するＯＦＤＭ受信装置を提供することを目的とする。
【課題を解決するための手段】
【０００８】
本発明のＯＦＤＭ受信装置は、第１アンテナからの受信アナログ信号をディジタル信号に変換する第１ＡＤ変換器と、１アンテナとは異なる第２アンテナからの受信アナログ信号を前記第１ＡＤ変換器とは異なる位相でサンプルしてディジタル信号に変換する第２ＡＤ変換器と、前記第１ＡＤ変換器からのディジタル信号をＯＦＤＭ復調する第１ＯＦＤＭ復調器と、前記第２ＡＤ変換器からのディジタル信号をＯＦＤＭ復調する第２ＯＦＤＭ復調器と、前記第１及び第２ＯＦＤＭ復調器によって復調された信号を合成する合成器とを備えることを特徴とする。
【０００９】
また、前記第１及び第２ＡＤ変換器を合わせたサンプルタイミングは、等間隔であることで、よりダイバーシチ効果を高めることができる。
【発明の効果】
【００１０】
本発明によれば、簡単な構成で、ＯＦＤＭ受信装置におけるアンテナダイバーシチの効果を高めることができる。
【発明を実施するための最良の形態】
【００１１】
以下、添付図面を参照しながら本発明を実施するための最良の形態について詳細に説明する。
【００１２】
図１は、本発明の一実施例によるＯＦＤＭ受信装置の構成を示す図である。本実施例のＯＦＤＭ受信装置は、ＡＤ変換器１３、１４、遅延器１５、ＯＦＤＭ復調回路１６、１７、及び合成＆判定器１８から成る。なお、アンテナ１１、１２は本発明の対象ではないが、本発明の説明のために示す。複数のアンテナ１１、１２で受信した信号はベースバンド信号に変換され、サンプル周期Ｔsの分数間隔分ずらして駆動されるＡＤ変換器１３、１４でサンプルされディジタル信号化される。ここでは２系統のアンテナがあるのでＴs／２の遅延となる。それぞれのアンテナブランチではＯＦＤＭ信号がＯＦＤＭ復調回路１６、１７によって復調され、合成＆判定器１８によって各サブキャリアの信号ごとに最大比合成などの合成を行い判定される。
【００１３】
図２は、本発明の効果を説明する図である。アンテナ１１とアンテナ１２の相関が高い場合、遅延領域において同じような応答を示す。仮にアンテナ１１とアンテナ１２で同じタイミング（図中●）でサンプルした場合、２つのアンテナにおける受信レベルが同時に低下することが考えられる。これに対してアンテナ１２においてサンプル周期の半分（Ｔs／２）だけ時間シフトしてサンプルした場合（図中▲）、アンテナ１１とアンテナ１２で受信信号の相関が低下し、ダイバーシチ効果が期待できる。
【００１４】
図３は、ＢＥＲ特性をシミュレーションした結果を示す図である。チャネルモデルとしては遅延量Ｔs／２の２波モデルを想定し、それら直接波と遅れて受信される干渉波との相関はほぼ０とする。「モデル１」はアンテナ間を結ぶ直線に対して直交する方向から電波が到来し、「モデル２」はモデル１に対して６０°の方向から電波が到来することを想定している。「本発明」は本発明の時間シフトサンプリングを用いた場合、「従来」は時間シフトサンプリングを用いなかった場合を示す。ただし合成法としては両方の場合とも最大比合成を仮定している。いずれのモデルでもアンテナ間の相関が１に近いものとする。
【００１５】
図３より本発明の時間シフトサンプリングを用いると誤り率が改善することがわかる。
【００１６】
なお、本発明は上記実施例に限定されるものではない。
【００１７】
アンテナの数は２に限られず、２以上任意である。その際に、サンプルタイミングのずれは、サンプル周期の分数間隔分、均等にずらすことが望ましいが、必ずしも均等である必要はない。
【００１８】
合成は、実施例で説明した最大比合成（受信信号の位相を揃えて合成する）が望ましいが、大きいレベルの信号を選択する選択合成でも良いし、単純に加算する等利得合成でも良い。
【図面の簡単な説明】
【００１９】
【図１】本発明の一実施例によるＯＦＤＭ受信装置の構成を示す図である。
【図２】本発明の効果を説明する図である。
【図３】ＢＥＲ特性をシミュレーションした結果を示す図である。
【図４】従来技術１のＯＦＤＭ受信装置の構成を示す図である。
【図５】従来技術２のＯＦＤＭ受信装置の構成を示す図である。
【図６】サイクリック遅延合成及び遅延合成の考え方を示す図である。
【符号の説明】
【００２０】
１１、１２、２１、２２、３１、３２  アンテナ
１３、１４、２３、２４、３３、３４  ＡＤ変換器
１５  遅延器
１６、１７、２５、２６、３７  ＯＦＤＭ復調回路
１８、２７  合成＆判定器
３５  サイクリック遅延又は遅延器
３６  合成器
３８  判定器
【図１】
2009212835.tif 000003
【図２】
2009212835.tif 000004
【図３】
2009212835.tif 000005
【図４】
2009212835.tif 000006
【図５】
2009212835.tif 000007
【図６】
2009212835.tif 000008